(57)【要約】      （修正有）【課題】部品点数が少なく部品管理も容易なヘッドレスト埋め込みシートのヘッドレストを提供する。【解決手段】カバープレート３５は硬質体からなるバックボード３２の上端部に肉薄ヒンジ３８を介して一体成形され、一体化されたバックボード、カバープレートを単一の被覆材３４で連続して被覆している。カバープレート３５は折り返されて格納凹部１４の背面に配置され、カバープレートの下端部をバックボードに連結して格納凹部の背面部１４ａを形成している。【選択図】図４
2008194222.tif 000002
【特許請求の範囲】
【請求項１】
表面がトリムカバーによって被覆されるとともにヘッドレストを格納可能な前面、上面の開放された格納凹部が上端に設けられ、格納凹部の背面にバックボードが延びたヘッドレスト埋め込みシートのシートバック構造において、
カバープレートが、硬質体からなるバックボードの上端部にヒンジを介して一体成形され、
カバープレートをヒンジの回りで前方に折り返して格納凹部の背面に配置し、カバープレートをバックボードに連結して格納凹部の背面部を形成した
ことを特徴とするヘッドレスト埋め込みシートのシートバック構造。
【請求項２】
バックボード、カバープレートが単一の被覆材により連続して被覆された請求項１記載のヘッドレスト埋め込みシートのシートバック構造。
【請求項３】
カバープレートの下端部に係合片を設け、この係合片をバックボードの内面に設けた対応する被係合片に係合させてカバープレートをバックボードに連結した請求項１または２記載のヘッドレスト埋め込みシートのシートバック構造。
【請求項４】
係止部がバックボードの内面に設けられ、シートバックフレームから延びた係止バーに係止部が係止されて、バックボードがシートバックフレームに連結、保持された請求項１ないし３記載のヘッドレスト埋め込みシートのシートバック構造。
【発明の詳細な説明】
【技術分野】
【０００１】
この発明は、ヘッドレストの格納される格納凹部を、その上端に有するヘッドレスト埋め込みシートのシートバック構造に関する。
【背景技術】
【０００２】
ヘッドレストをシートバック上端の格納凹部にその下降のもとで格納可能とする、いわゆるヘッドレスト埋め込みシートが自動車などの車両用シートとして提供されている。そして、ヘッドレストを格納凹部内に格納することにより、その高さが抑制されることから、たとえば、シート全体の小型化の要求される折り畳みシートあるいは格納シートなどとして、この種のヘッドレスト埋め込みシートが広く利用されている。
【０００３】
ところで、近年の折り畳みシートや格納シートなどにおいては、その折り畳み／格納形態の一層の小型化、薄型化を目的としたヘッドレストを含めたシートバック全体の厚みの抑制、特に外観品質の低下などを招くことのない格納凹部の肉薄化が要求されている。
【０００４】
たとえば、特開２００２−１２５７９３号公報には、シートバックの背面まで硬質のバックボードを延ばすとともに、格納凹部の背面を硬質のカバープレートで被装することにより、格納凹部背面部をバックボードとカバープレートとを組み合わせた硬質体として形成する構成が記載されている。
【特許文献１】特開２００２−１２５７９３号公報
【発明の開示】
【発明が解決しようとする課題】
【０００５】
特開２００２−１２５７９３号公報の構成では、バックボード、カバープレートが別体であるため、部品点数が多く、部品管理が容易でない。また、別体のバックボード、カバープレートを組み合わせているため、別体格納凹部の背面上端に合わせ目が形成されて露出し、外観品質が低下するおそれがある。
【０００６】
この発明は、部品点数が少なく部品管理も容易なヘッドレスト埋め込みシートのヘッドレストの提供を目的としている。
【課題を解決するための手段】
【０００７】
請求項１に係る本発明によれば、表面がトリムカバーによって被覆されるとともにヘッドレストを格納可能な前面、上面の開放された格納凹部が上端に設けられ、格納凹部の背面にバックボードが延びたヘッドレスト埋め込みシートのシートバック構造において、カバープレートが、硬質体からなるバックボードの上端部にヒンジを介して一体成形され、カバープレートをヒンジの回りで前方に折り返して格納凹部の背面に配置し、カバープレートをバックボードに連結して格納凹部の背面部を形成したことを特徴としている。
【発明の効果】
【０００８】
請求項１に係る本発明では、カバープレートがバックボードと一体成形されているため、部品点数が減少するとともに、一体物であるから部品管理が容易となる。
【発明を実施するための最良の形態】
【０００９】
カバープレートは硬質体からなるバックボードの上端部にヒンジを介して一体成形されている。そして、カバープレートを折り返して格納凹部の背面に配置し、カバープレートをバックボードに連結して格納凹部の背面部を形成している。カバープレート下端部の係合片をバックボード内面の被係合片に係合させることにより、カバープレートはバックボードに連結される。
【実施例】
【００１０】
以下、図面を参照しながら本発明の実施例を詳細に説明する。図１〜図３は、この発明の一実施例に係るヘッドレスト埋め込みシートのシートバック構造の概略縦断面図、概略部分斜視図、概略正面図を示し、図４はバックボード、カバープレートの概略縦断面図を示す。
【００１１】
図１、図２に示すように、この発明に係るヘッドレスト埋め込みシートのシートバック構造１０においては、ヘッドレスト１２の格納可能な格納凹部１４が、周面の被装のもとでシートバック１６の上端に形成されている。格納凹部１４の前面、上面は開放され、後述するように、バックボード３２が格納凹部１４の背面まで延びている。
【００１２】
この、ヘッドレスト１２の格納可能な格納凹部１４をシートバック１６の上端に有する、いわゆるヘッドレスト埋め込みシートは、たとえば、自動車のリヤシートなどとして利用されている。そして、シートバック１６は、通常、シートバックフレーム１８の前面にシートパッド２０を配設し、これらをトリムカバー２２で被覆して形成されている。
また、図１に示すように、この種のヘッドレスト埋め込みシートのシートバック１６においては、格納凹部１４の底面下方に、ヘッドレスト１２のステー２４の挿通可能なヘッドレストホルダー２６が、シートバックフレーム１８の上端に固着されたパイプ状ブラケット２８に嵌着されて配設されており、ヘッドレストホルダーへのステーの挿入によって、ヘッドレストは昇降可能に格納凹部に配設されている。
【００１３】
このような格納凹部１４をその上端に有したヘッドレスト埋め込みシートのシートバック１６の基本構造自体は公知であり、また、ヘッドレスト１２を昇降可能に挿着する点も、公知の構成と何ら変わらないため、これらの詳細な説明は省略する。
【００１４】
図１、図２に示すように、シートバック１６の前面、つまり着座面側表面が、トリムカバー２２によって被装されるのに対し、バックボード３２が格納凹部１４の背面まで延びて格納凹部１４の背面を被装している。バックボード３２は硬質の樹脂材料、ポリプロピレンなどから対応するプレート状に成形されている。
【００１５】
図１、図４に示すように、本発明では、バックボード３２、カバープレート３５は一体的に成形されている。すなわち、カバープレート３５がバックボード３２の上端部にヒンジ３８を介して一体成形され、一体成形されたバックボード、カバープレートは単一の被覆材３４によって連続して被覆されている。ヒンジ３８はその肉厚を薄くしたいわゆる肉薄ヒンジとされる。
そして、図４に矢視するように、カバープレート３５がヒンジ３８を中心に前方に折り返して格納凹部１４の背面に配置し、カバープレートの下端部をバックボードに連結して格納凹部の背面部１４ａが形成されている。
【００１６】
図３に示すように、たとえば、係合片３５ａがカバープレート３５の下端部の中央および左右の端部にそれぞれ形成されるとともに、係合片の係合可能な被係合片３２ａがバックボード３２の内面にそれぞれ形成されている。たとえば、係合片３５ａ、被係合片３２ａは互いに係合可能なフック形状とされる。
【００１７】
カバープレート３５がバックボード３２の上端部にヒンジ３８を介して一体成形され、係合可能な係合片３５ａ、被係合片３２ａをカバープレート３５の下端部、バックボード３２の内面に設けた構成では、カバープレートを前方に折り返すことにより、カバープレートの係合片がバックボードの被係合片に係合されて、カバープレートがバックボードに連結される。そのため、カバープレート３５を折り返してカバープレート、バックボードを連結するだけで、格納凹部の背面部１４ａが形成される。そのため、簡単な作業のもとで格納凹部の背面部１４ａが形成され、作業性が改善される。
【００１８】
カバープレート３５がヒンジ３８を介してバックボード３２と一体成形され、一体化されたカバープレート、バックボードを単一の被覆材３４によって連続して被覆した構成では、合わせ目が格納凹部の背面部１４ａに存在せず、良好な外観品質が得られる。
【００１９】
また、ヒンジ３８を介してバックボード３２、カバープレート３５が硬質体から一体成形され、カバープレート３５を前方に折り返してその下端部をバックボード３２に連結した構成では、格納凹部の背面部１４ａが自立性の高い硬質体として形成され、格納凹部の背面が補強されて必要な強度が確保される。
また、格納凹部の背面部１４ａが一体構造の硬質体からなるため、その肉厚が抑えられ、格納凹部の背面部が肉薄化できる。
さらに、カバープレート３５、バックボード３２が一体成形されているため、単一部材として管理でき、部品管理が容易となる。
【００２０】
図１、図３に示すように、シートバックフレーム１８にたとえば溶着によって固定された門方形状（コ字形状）の断面円形の係止バー３６がシートバックフレームから上方に突出して格納凹部の背面１４ａ内に延びている。また、断面略Ｃ字形状の２つのフック片３２ｂ’を持つ係止部３２ｂが、バックボード３２の中央で内面から突出して横方向に形成されている。そして、係止部３２ｂの２つの係止片３２ｂ’が係止バー３６の左右の脚部を挟み込むことにより、バックボード３２の上端部が係止バー３６に係止されている。
【００２１】
このようにバックボード３２の内面に形成した係止部３２ｂをシートバックフレーム１８に固定された係止バー３６に係止されることにより、バックボード３２の上端部が係止バー３６を介してシートバックフレーム１８に係止されて保持される。そのため、バックボード３２の上端部は後方への倒れ(変形)の抑制された構造体となり、変形の抑制されたバックボード３２がカバープレート３５の背後に位置することにより、格納凹部の背面部１４ａが補強される。
【００２２】
また、係止部３２ｂを係止バー３６に係止させることにより、バックボード３２が係止バーを介してシートバックフレーム１８に容易に保持されるため、作業性が改善される。そして、係止バー３６をシートバックフレーム１８に固定して突出させるとともに係止バーに係止可能な係止部３２ｂをバックボード３２の内面に形成するだけでバックボード３２がシートバックフレーム１８に保持可能となり、簡単な構成のもとでバックボード３２がシートバックフレーム１８に容易に組み込まれる。
【００２３】
上述した実施の形態は、この発明を説明するためのものであり、この発明を何等限定するものでなく、この発明の技術範囲内で変形、改造等の施されたものも全てこの発明に包含されることはいうまでもない。
【００２４】
上記のように、カバープレートがバックボードと一体成形されているため、部品点数が減少し、カバープレート、バックボードは一体物であるから部品管理が容易となる。
【００２５】
カバープレートがヒンジを介してバックボードと一体成形され、一体化されたカバープレート、バックボードを単一の被覆材によって連続して被覆しているため、合わせ目が格納凹部の背面部に存在せず、良好な外観品質が得られる。
【００２６】
カバープレートの下端部に係合片を設け、係合片に係合可能な被係合片をバックボードに設けているため、カバープレートを折り返してカバープレート、バックボードを連結することにより、格納凹部の背面部が形成でき、作業性が改善される。
【００２７】
係止部がバックボードの内面に設けられ、シートバックフレームから延びた係止バーに係止部が係止されて、バックボードがシートバックフレームに連結、保持されているため、バックボードの上端部は後方への倒れ(変形)の抑制された構造体となり、変形の抑制されたバックボードがカバープレートの背後に位置することにより、格納凹部の背面部が補強される。
【産業上の利用可能性】
【００２８】
本発明のヘッドレスト埋め込みシートのシートバック構造は、自動車のシートに限定されず、たとえば、電車、飛行機、船舶等の自動車以外の乗り物のシートにも応用できる。
【図面の簡単な説明】
【００２９】
【図１】この発明の一実施例に係るヘッドレスト埋め込みシートのシートバック構造の概略縦断面図を示す。
【図２】この発明の一実施例に係るヘッドレスト埋め込みシートのシートバック構造の概略部分斜視図を示す。
【図３】この発明の一実施例に係るヘッドレスト埋め込みシートのシートバック構造の概略正面図を示す。
【図４】バックボード、カバープレートの概略縦断面図を示す。
【符号の説明】
【００３０】
１０            シートバック構造
１２            ヘッドレスト
１４            格納凹部
１４ａ          格納凹部の背面部
１６            シートバック
１８            シートバックフレーム
３２            バックボード
３２ａ          被係合片
３２ｂ          係止部
３２ｂ’        フック片
３４            被覆材
３５            カバープレート
３５ａ          係合片
３６            係止バー
３８            ヒンジ
【図１】
2008194222.tif 000003
【図２】
2008194222.tif 000004
【図３】
2008194222.tif 000005
【図４】
2008194222.tif 000006